【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示部を備え、該可変表示部に特定表示結果が導出表示されたときに遊技者にとって有利な特定遊技状態に移行させるとともに、所定の移行条件が成立したときに該特定遊技状態が終了したのちに通常状態であるときに比べて識別情報の可変表示の表示結果が前記特定表示結果となりやすい特別遊技状態に移行させる遊技機であって、
遊技の進行を制御する遊技制御手段と、
遊技演出に用いる電気部品のうち、少なくとも前記可変表示部の表示状態を制御する表示制御手段とを備え、
前記遊技制御手段は、
前記可変表示部の識別情報の可変表示の表示結果を前記特定表示結果にするか否かと、前記所定の移行条件を成立させるか否かとを決定する事前決定手段と、
前記事前決定手段の決定結果にもとづいて、前記可変表示部における識別情報の可変表示を開始してから表示結果を導出表示するまでの可変表示時間を決定する可変表示時間決定手段と、
遊技状態に応じた演出コマンドを送信する演出コマンド送信手段と、
前記事前決定手段による決定結果を特定可能な表示結果コマンドを送信する表示結果コマンド送信手段とを含み、
前記表示制御手段は、
前記事前決定手段による決定結果を示す事前決定結果情報を記憶する事前決定結果情報記憶手段と、
前記表示結果コマンド送信手段によって前記表示結果コマンドが送信される前に前記演出コマンド送信手段によって送信される所定の演出コマンドの受信にもとづいて、前記事前決定結果情報記憶手段が記憶する前記事前決定結果情報をクリアする事前決定結果情報クリア手段と、
前記事前決定結果情報クリア手段によって前記事前決定結果情報記憶手段が記憶する前記事前決定結果情報がクリアされた後に、前記表示結果コマンド送信手段によって送信された前記表示結果コマンドで特定される前記事前決定結果情報を前記事前決定結果情報記憶手段に記憶させる制御を行う事前決定結果情報記憶制御手段と、
前記事前決定結果情報記憶手段が記憶する事前決定結果情報を読み出し、読み出した前記事前決定結果情報にもとづいて、前記可変表示部の識別情報の可変表示を実行し、前記可変表示時間決定手段により決定された可変表示時間が経過したことにもとづいて、前記可変表示部に表示結果を導出表示する可変表示実行手段とを含み、
前記可変表示実行手段は、
前記事前決定手段によって前記可変表示部の識別情報の可変表示の表示結果を前記特定表示結果にすると決定されるとともに前記所定の移行条件を成立させると決定されたことを特定可能な前記表示結果コマンドを受信したときに、前記可変表示時間決定手段により決定された可変表示時間が経過したことにもとづいて、前記特定表示結果として、前記特定遊技状態が終了したのちに前記特別遊技状態に移行することを示す特別表示結果を前記可変表示部に導出表示する特別表示結果導出表示手段と、
前記事前決定手段によって前記可変表示部の識別情報の可変表示の表示結果を前記特定表示結果にすると決定されるとともに前記所定の移行条件を成立させないと決定されたことを特定可能な前記表示結果コマンドを受信したときに、前記可変表示時間決定手段により決定された可変表示時間が経過したことにもとづいて、前記特定表示結果として、前記特定遊技状態が終了したのちに前記特別遊技状態に移行しないことを示す非特別表示結果を前記可変表示部に導出表示する非特別表示結果導出表示手段とを含み、
前記事前決定手段によって前記可変表示部の識別情報の可変表示の表示結果を前記特定表示結果にすると決定されるとともに前記所定の移行条件を成立させると決定されたことを特定可能な前記表示結果コマンドを受信したときであっても、前記可変表示時間決定手段により決定された可変表示時間が経過したことにもとづいて、前記特定表示結果として前記非特別表示結果を前記可変表示部に導出表示可能である
ことを特徴とする遊技機。
【手続補正２】
【補正対象書類名】明細書
【補正対象項目名】００１０
【補正方法】変更
【補正の内容】
【００１０】
本発明による遊技機は、各々を識別可能な複数種類の識別情報（例えば、飾り図柄）の可変表示を行い表示結果を導出表示する可変表示部（例えば、可変表示装置９）を備え、該可変表示部に特定表示結果（例えば、大当り図柄）が導出表示されたときに遊技者にとって有利な特定遊技状態（例えば、大当り遊技状態）に移行させるとともに、所定の移行条件が成立（例えば、ステップＳ１５１９で確変大当りと決定されたこと）したときに該特定遊技状態が終了したのちに通常状態であるときに比べて識別情報の可変表示の表示結果が特定表示結果となりやすい特別遊技状態（例えば、確変状態）に移行させる遊技機であって、遊技の進行を制御する遊技制御手段（例えば、遊技制御用マイクロコンピュータ５６０）と、遊技演出に用いる電気部品のうち、少なくとも可変表示部の表示状態を制御する表示制御手段（例えば、演出制御用マイクロコンピュータ１００）とを備え、遊技制御手段は、可変表示部の識別情報の可変表示の表示結果を特定表示結果にするか否かと、所定の移行条件を成立させるか否かとを決定する事前決定手段（例えば、遊技制御用マイクロコンピュータ５６０におけるステップＳ１５０９，Ｓ１５１０，Ｓ１５１９を実行する部分）と、事前決定手段の決定結果にもとづいて、可変表示部における識別情報の可変表示を開始してから表示結果を導出表示するまでの可変表示時間を決定する可変表示時間決定手段（例えば、遊技制御用マイクロコンピュータ５６０におけるステップＳ２０３，Ｓ２０４，Ｓ２０５，Ｓ２０６を実行する部分）と、遊技状態に応じた演出コマンド（例えば、演出制御コマンド）を送信する演出コマンド送信手段（例えば、遊技制御用マイクロコンピュータ５６０における図２７に示すコマンド送信テーブルに従ってステップＳ３３２〜Ｓ３４３を実行する部分、ステップＳ１５４２，Ｓ１３０２，Ｓ１３０６，Ｓ１３０９，Ｓ１３１１，Ｓ１３１３，Ｓ１３１５，Ｓ１３１６，Ｓ４４８，Ｓ４５０，Ｓ４５２，Ｓ４５４，Ｓ４５５，Ｓ４５６，Ｓ１２０６Ａを実行する部分）と、事前決定手段による決定結果を特定可能な表示結果コマンド（例えば、表示結果コマンド８Ｃ０１（Ｈ）〜８Ｃ０７（Ｈ））を送信する表示結果コマンド送信手段（例えば、遊技制御用マイクロコンピュータ５６０における図２７に示すコマンド送信テーブルに従ってステップＳ３３２〜Ｓ３４３を実行して表示結果コマンドを送信する部分）とを含み、表示制御手段は、事前決定手段による決定結果を示す事前決定結果情報（例えば、表示結果コマンドに含まれるＥＸＴデータ）を記憶する事前決定結果情報記憶手段（例えば、演出制御用マイクロコンピュータ１００における図柄メモリ（ＲＡＭにおける表示結果データ格納領域））と、表示結果コマンド送信手段によって表示結果コマンドが送信される前に演出コマンド送信手段によって送信される所定の演出コマンド（例えば、変動パターンコマンド、背景指定コマンド、飾り図柄停止指定コマンド、ファンファーレコマンド、エンディングコマンド）の受信にもとづいて、事前決定結果情報記憶手段が記憶する事前決定結果情報をクリアする事前決定結果情報クリア手段（例えば、演出制御用マイクロコンピュータ１００におけるステップＳ１６１５，Ｓ１６２１Ａ，Ｓ１８７２Ａ，Ｓ１６２６Ａ，Ｓ１６３２Ａ，Ｓ１６２５ｂを実行する部分）と、事前決定結果情報クリア手段によって事前決定結果情報記憶手段が記憶する事前決定結果情報がクリアされた後に、表示結果コマンド送信手段によって送信された表示結果コマンドで特定される事前決定結果情報を事前決定結果情報記憶手段に記憶させる制御を行う事前決定結果情報記憶制御手段と、事前決定結果情報記憶手段が記憶する事前決定結果情報を読み出し、読み出した事前決定結果情報にもとづいて、可変表示部の識別情報の可変表示を実行し、可変表示時間決定手段により決定された可変表示時間が経過したことにもとづいて、可変表示部に表示結果を導出表示する可変表示実行手段（例えば、演出制御用マイクロコンピュータ１００におけるステップＳ８２６〜Ｓ８２８，Ｓ１８５８〜Ｓ１８６３，Ｓ１８７２を実行する部分）とを含み、可変表示実行手段は、事前決定手段によって可変表示部の識別情報の可変表示の表示結果を特定表示結果にすると決定されるとともに所定の移行条件を成立させると決定されたことを特定可能な表示結果コマンド（例えば、図８に示すコマンド８Ｃ０２（Ｈ））を受信したときに、可変表示時間決定手段により決定された可変表示時間が経過したことにもとづいて、特定表示結果として、特定遊技状態が終了したのちに特別遊技状態に移行することを示す特別表示結果（例えば、確変図柄）を可変表示部に導出表示する特別表示結果導出表示手段（例えば、演出制御用マイクロコンピュータ１００におけるステップＳ１８５２で選択した確変時大当り図柄決定用テーブルを用いてステップＳ１８５４で決定した確変図柄をステップＳ１８７２で導出表示する部分、ステップＳ１８１２で選択した確変時大当り図柄決定用テーブルを用いてステップＳ１８１３で決定した確変図柄をステップＳ１８７２で導出表示する部分）と、事前決定手段によって可変表示部の識別情報の可変表示の表示結果を特定表示結果にすると決定されるとともに所定の移行条件を成立させないと決定されたことを特定可能な表示結果コマンド（例えば、図８に示すコマンド８Ｃ０１（Ｈ），８Ｃ０３（Ｈ）〜８Ｃ０５（Ｈ））を受信したときに、可変表示時間決定手段により決定された可変表示時間が経過したことにもとづいて、特定表示結果として、特定遊技状態が終了したのちに特別遊技状態に移行しないことを示す非特別表示結果（例えば、非確変図柄）を可変表示部に導出表示する非特別表示結果導出表示手段（例えば、演出制御用マイクロコンピュータ１００におけるステップＳ１８５３で選択した通常時大当り図柄決定用テーブルを用いてステップＳ１８５４で決定した非確変図柄をステップＳ１８７２で導出表示する部分、ステップＳ１８０９で選択した通常時大当り図柄決定用テーブルを用いてステップＳ１８１３で決定した非確変図柄をステップＳ１８７２で導出表示する部分）とを含み、事前決定手段によって可変表示部の識別情報の可変表示の表示結果を特定表示結果にすると決定されるとともに所定の移行条件を成立させると決定されたことを特定可能な表示結果コマンドを受信したときであっても、可変表示時間決定手段により決定された可変表示時間が経過したことにもとづいて、特定表示結果として非特別表示結果を可変表示部に導出表示可能であることを特徴とする。
そのような構成により、表示結果コマンド送信手段によって表示結果コマンドが送信される前に演出コマンド送信手段によって送信される所定の演出コマンドの受信にもとづいて、事前決定結果情報記憶手段が記憶する事前決定結果情報をクリアするように構成されているので、識別情報の可変表示を行う際に表示制御手段が表示結果コマンドを受信できなかったときに、前回の識別情報の可変表示の際に記憶した事前決定結果情報が事前決定結果情報記憶手段にそのまま記憶されたままの状態になる事態を防止することができる。従って、特定遊技状態を終了したのちに次に識別情報の可変表示を実行する際に、表示制御手段が表示結果コマンドを受信できなかった場合に、事前決定手段によって識別情報の可変表示の表示結果を特定表示結果にしないと決定されているにもかかわらず、事前決定結果情報記憶手段が前回の識別情報の可変表示の際に記憶した事前決定結果情報にもとづいて可変表示部に特定表示結果を導出表示してしまう事態を防止することができる。